(57)【要約】【課題】圧縮機（2）と、冷媒を室外空気と熱交換させる室外熱交換器（4）と、膨張機構と、室内を空調するための室内熱交換器（41）と、庫内を冷却するための冷蔵熱交換器（45）及び冷凍熱交換器（51）とが接続された冷媒回路（1E）を備える冷凍装置（1）において、簡単な構造により、室内熱交換器（41）と、冷蔵熱交換器（45）及び冷凍熱交換器（51）との間の蒸発温度差を可変にして各運転切換を効率よく行う。【解決手段】冷媒回路（1E）に室内熱交換器（41）と、冷蔵熱交換器（45）及び冷凍熱交換器（51）とで冷媒が異温度蒸発するように、室内熱交換器（41）、冷蔵熱交換器（45）及び冷凍熱交換器（51）と、圧縮機（2）との流路を冷媒量可変に切り換える吸入側三方切換弁（102）を設ける。【選択図】  図４
2006071271.tif 000002
【特許請求の範囲】
【請求項１】
圧縮機（2）と、熱源側熱交換器（4）と、膨張機構と、室内を空調するための第１熱交換器（41）と、庫内を冷却するための第２熱交換器（45,51）とが接続された冷媒回路（1E）を備える冷凍装置であって、
上記冷媒回路（1E）は、上記第１熱交換器（41）と第２熱交換器（45,51）とで冷媒が異温度蒸発するように、第１熱交換器（41）及び第２熱交換器（45,51）と、圧縮機（2）との流路を冷媒量可変に切り換える流量調整手段（102）を備えている
ことを特徴とする冷凍装置。
【請求項２】
圧縮機（2）と、熱源側熱交換器（4）と、膨張機構と、第１の温度で蒸発する第１熱交換器（41）と、第２の温度で蒸発する第２熱交換器（45,51）とが接続された冷媒回路（1E）を備える冷凍装置であって、
上記冷媒回路（1E）は、上記第１熱交換器（41）と第２熱交換器（45,51）とが並列に接続され、圧縮機（2）の吸入側には、第１熱交換器（41）及び第２熱交換器（45,51）から圧縮機（2）への冷媒量を可変に切り換える流量調整手段（102）を備えている
ことを特徴とする冷凍装置。
【請求項３】
請求項１又は２に記載の冷凍装置において、
上記流量調整手段は、圧縮機（2）の吸入管（6）と、第１熱交換器（41）及び第２熱交換器（45,51）とに接続された流量調整可能な切換弁（102）である
ことを特徴とする冷凍装置。
【発明の詳細な説明】
【技術分野】
【０００１】
本発明は、冷凍装置に関し、特に、室内を空調するための空調熱交換器と庫内を冷却するための冷却熱交換器とを備えた冷凍装置に係るものである。
【背景技術】
【０００２】
従来より、冷凍サイクルを行う冷凍装置が知られており、室内を冷暖房する空調機や、食品等を貯蔵する冷蔵庫などの冷却機として広く利用されている。この冷凍装置には、空調と冷蔵との両方を行うものがあり、例えば、空調熱交換器及び冷却熱交換器などの複数の利用側熱交換器を備え、コンビニエンスストアなどに設置されている。この冷凍装置は、１つの冷凍装置を設置するだけで、店内の空調とショーケースなどの冷却との両方を行うことができる（例えば、特許文献１及び２参照）。
【０００３】
上記従来の冷凍装置は、複数の圧縮機を備え、上記空調熱交換器に冷媒を送る圧縮機と冷却熱交換器に冷媒を送る圧縮機との間で蒸発圧力の差を与えることで、空調熱交換器と冷却熱交換器とで冷媒が異温度蒸発するようにしている。このようにして、流路を切り換えて、空調のみ、冷蔵のみ、空調と冷蔵の組み合わせの各運転を行うことができる。
【特許文献１】特許第３２５３２８３号公報
【特許文献２】特開２００３−７５０２２号公報
【発明の開示】
【発明が解決しようとする課題】
【０００４】
ところで、上記従来の冷凍装置において、空調熱交換器のガス側に蒸発圧力調整弁を設ければ、別々の圧縮機で蒸発圧力の差を与えなくても、空調熱交換器内の蒸発圧力を常に設定値以上に保持し、空調熱交換器と冷却熱交換器とで冷媒が異温度蒸発するようにして、各運転を切り換えることが可能である。したがって、冷媒回路の簡略化が可能となる。
【０００５】
しかし、空調熱交換器のガス側に別途蒸発圧力調整弁を設けることは、部品点数が増え、製造コストが高くなると共に、圧力損失が増加するという問題があった。
【０００６】
本発明は、かかる点に鑑みてなされたものであり、その目的とするところは、簡単な構成により、空調熱交換器と冷却熱交換器との間の蒸発圧力の差を可変にして各運転切換を効率よく行うことにある。
【課題を解決するための手段】
【０００７】
上記の目的を達成するために、この発明では、第１熱交換器（41）及び第２熱交換器（45,51）と、圧縮機（2）との流路を冷媒量可変に切り換える流量調整手段（102）を設けた。
【０００８】
具体的には、第１の発明では、圧縮機（2）と、熱源側熱交換器（4）と、膨張機構と、室内を空調するための第１熱交換器（41）と、庫内を冷却するための第２熱交換器（45,51）とが接続された冷媒回路（1E）を備える冷凍装置を対象とする。
【０００９】
そして、上記冷媒回路（1E）は、上記第１熱交換器（41）と第２熱交換器（45,51）とで冷媒が異温度蒸発するように、第１熱交換器（41）及び第２熱交換器（45,51）と、圧縮機（2）との流路を冷媒量可変に切り換える流量調整手段（102）を備えている。
【００１０】
上記の構成によると、流量調整手段（102）によって、第１熱交換器（41）の蒸発温度を第２熱交換器（45,51）の蒸発温度よりも高く保ちながら流路を切り換えることで、各運転切換が行われる。
【００１１】
第２の発明では、圧縮機（2）と、熱源側熱交換器（4）と、膨張機構と、第１の温度で蒸発する第１熱交換器（41）と、第２の温度で蒸発する第２熱交換器（45,51）とが接続された冷媒回路（1E）を備える冷凍装置を対象とする。
【００１２】
そして、上記冷媒回路（1E）は、上記第１熱交換器（41）と第２熱交換器（45,51）とが並列に接続され、圧縮機（2）の吸入側には、第１熱交換器（41）及び第２熱交換器（45,51）から圧縮機（2）への冷媒量を可変に切り換える流量調整手段（102）を備えている。
【００１３】
上記の構成によると、圧縮機（2）の吸入側に設けた流量調整手段（102）が、並列に接続された第１熱交換器（41）と第２熱交換器（45,51）とにおいて、それぞれ異なる温度で蒸発するように冷媒量を切り換えることで、各運転切換が行われる。
【００１４】
第３の発明では、上記流量調整手段は、圧縮機（2）の吸入管（6）と、第１熱交換器（41）及び第２熱交換器（45,51）とに接続された流量調整可能な切換弁（102）とする。
【００１５】
上記の構成によると、冷凍装置は、切換弁（102）を操作することで、第１熱交換器（41）と第２熱交換器（45,51）との間の蒸発温度の差を保ちながら流路を切り換えることで各運転を行うことができる。
【発明の効果】
【００１６】
以上説明したように、本願発明によれば、流量調整手段（102）によって、第１熱交換器（41）の蒸発温度を第２熱交換器（45,51）の蒸発温度よりも高く保ちながら流路を切り換えるようにしている。このため、複数の圧縮機によって蒸発圧力の差を与えたり、別途圧力調整弁を設けなくても、冷凍装置は効率よく各運転切換を行うことができる。
【発明を実施するための最良の形態】
【００１７】
以下、本発明の実施形態を図面に基づいて説明する。なお、以下の実施形態は、本質的に好ましい例示であって、本発明、その適用物や用途の範囲を制限することを意図するものではない。
【００１８】
図１に示すように、本実施形態に係る冷凍装置（1）は、コンビニエンスストアやスーパーマーケットに設けられ、庫内であるショーケース（図示せず）の冷却と室内である店内の冷暖房とを行うためのものである。
【００１９】
上記冷凍装置（1）は、室外ユニット（1A）と室内ユニット（1B）と冷蔵ユニット（1C）と冷凍ユニット（1D）とを有し、蒸気圧縮式冷凍サイクルを行う冷媒回路（1E）を備えている。また、この冷媒回路（1E）は、ブースタユニット（1F）を備えている。室内ユニット（1B）と冷蔵ユニット（1C）と冷凍ユニット（1D）とは、並列に接続されている。そして、上記冷媒回路（1E）は、冷房サイクルと暖房サイクルとに切り換わるように構成されている。
【００２０】
上記室内ユニット（1B）は、冷房運転と暖房運転とを切り換えて行うように構成され、例えば、売場などに設置される。また、上記冷蔵ユニット（1C）は、冷蔵用のショーケースに設置されて該ショーケースの庫内空気を冷却する。上記冷凍ユニット（1D）は、冷凍用のショーケースに設置されて該ショーケースの庫内空気を冷却する。
【００２１】
〈室外ユニット〉
上記室外ユニット（1A）は、インバータ圧縮機（2）と、四路切換弁（3A）と、吐出側三方切換弁（101）と、流量調整手段としての吸入側三方切換弁（102）と、熱源側熱交換器である室外熱交換器（4）と、エコノマイザー用熱交換器（103）とを備えている。
【００２２】
上記インバータ圧縮機（2）は、例えば、密閉型のスクリュー圧縮機で構成され、電動機がインバータ制御されて容量が段階的又は連続的に可変となるように構成されている。上記インバータ圧縮機（2）の吐出管（5）は、吐出側三方切換弁（101）の第１ポートに接続されている。インバータ圧縮機（2）の運転容量制御は、常時、室内ユニット（1B）側の冷媒圧力が一定になるように制御される。後述する室内熱交換器（41）及び室外熱交換器（4）が凝縮器となる熱回収運転時には、室内熱交換器（41）内の圧力を一定にするように、制御される。なお、インバータ圧縮機（2）はスクロール圧縮機で構成してもよい。
【００２３】
上記室外熱交換器（4）のガス側端部（インバータ圧縮機（2）側端部）は、室外ガス管（9）によって、上記吐出側三方切換弁（101）の第２ポートから延びる配管及び四路切換弁（3A）の第２ポートから延びる配管の接続部に接続されている。上記室外熱交換器（4）の液側端部には、暖房用電子膨張弁（104）が設けられ、更にこの暖房用電子膨張弁（104）に液ラインである第１液管（10a）の一端と第２液管（10b）の一端とが接続されている。暖房用電子膨張弁（104）は、室外熱交換器（4）が蒸発器となる暖房時に冷媒が減圧される。その制御は、後述する吸入温度センサ（67）によって得られたインバータ圧縮機（2）の吸入加熱度に基づいて行われる。第１液管（10a）は、レシーバ（14）入口に接続されている。第２液管（10b）には、上記エコノマイザー用熱交換器（103）の第１流路（105）が接続されている。
【００２４】
なお、上記室外熱交換器（4）は、例えば、クロスフィン式のフィン・アンド・チューブ型熱交換器であって、室外ファン（4F）が近接して配置されている。
【００２５】
上記インバータ圧縮機（2）の吸入管（6）は、吸入側三方切換弁（102）の第１ポートに接続されている。吸入側三方切換弁（102）の第３ポートは、閉鎖弁（20）を介して低圧ガス管（15）に接続されている。
【００２６】
上記四路切換弁（3A）の第１ポートは、吐出側三方切換弁（101）の第３ポートから延びる配管及び後述する連通管（21）の接続部に接続されている。四路切換弁（3A）の第３ポートから延びる配管は、吸入側三方切換弁（102）の第２ポートに接続されている。四路切換弁（3A）の第４ポートから延びる配管には、閉鎖弁（20）を介して連絡ガス管（17）が接続されている。
【００２７】
上記四路切換弁（3A）は、吐出側三方切換弁（101）の第３ポートから延びる配管及び連通管（21）の接続部と連絡ガス管（17）とが連通し、且つ室外ガス管（9）及び吐出側三方切換弁（101）の第２ポートから延びる配管の接続部と吸入側三方切換弁（102）の第２ポートから延びる配管とが連通するＯＮ状態（図２実線参照）と、吐出側三方切換弁（101）の第３ポートから延びる配管及び連通管（21）の接続部と室外ガス管（9）とが連通し、且つ連絡ガス管（17）と吸入側三方切換弁（102）の第２ポートから延びる配管とが連通するＯＦＦ状態（図２破線参照）とに切り換わるように構成されている。
【００２８】
上記連絡ガス管（17）と低圧ガス管（15）と接続液管（19）とは、室外ユニット（1A）から外部に延長され、室外ユニット（1A）内に閉鎖弁（20）がそれぞれ設けられている。
【００２９】
上記エコノマイザー用熱交換器（103）は、第１流路（105）と第２流路（106）とを備えている。第１流路（105）の一端から延びる配管は上記レシーバ（14）の出口に接続され、他端は上記接続液管（19）及びレシーバ（14）の入口から延びる配管の接続部に接続されている。第２流路（106）の一端は逆止弁（7）を介してインバータ圧縮機（2）の中間圧力部（図示せず）に接続され、他端はエコノマイザー用電子膨張弁（107）を介してレシーバ（14）の入口から接続液管（19）に向かって延びる配管の接続部に接続されている。このように構成することで、レシーバ（14）の出口から出てきた液冷媒が、一度エコノマイザー用熱交換器（103）の第１流路（105）を通過した後、エコノマイザー用電子膨張弁（107）で減圧され、第２流路（106）を通過中に上記第１流路（105）内の冷媒によって、低圧状態で過冷却された後、この低圧冷媒がインバータ圧縮機（2）の中間圧力部に導かれるように構成されている。エコノマイザー用電子膨張弁（107）の制御は、過冷却度とインバータ圧縮機（2）の吐出管（5）の冷媒温度に合わせて行われる。なお、上記逆止弁（7）によってインバータ圧縮機（2）の中間圧力部からの冷媒の逆流が防がれる。この過冷却された低圧冷媒がインバータ圧縮機（2）の中間圧力部に導かれることで、インバータ圧縮機（2）の過熱が防止される。
【００３０】
レシーバ（14）の入口における第１液管（10a）側とエコノマイザー用熱交換器（103）の第１流路（105）側とには、それぞれ逆止弁（7）が設けられ、レシーバ（14）の入口に向かってのみ冷媒が流れるように構成されている。また、レシーバ（14）の入口から延びる配管とエコノマイザー用熱交換器（103）の第１流路（105）側との間には、凝縮圧力調整弁（108）が設けられている。この凝縮圧力調整弁（108）によって、暖房運転時で外気温度が低いときに、室内ユニット（1B）側の冷媒不足が防止される。
【００３１】
上記四路切換弁（3A）の第１ポートから延びる配管及び吐出側三方切換弁（101）の第３ポートから延びる配管の接続部と接続液管（19）からレシーバ（14）に向かって延びる配管との間には、補助ラインである連通管（21）が接続されている。この連通管（21）には、バネ付逆止弁（109）が設けられている。バネ付逆止弁（109）は、通常は作動せず、運転停止時にレシーバ（14）が液状の冷媒で満タンのとき、各バルブを閉じたときの液漏れを防止するように構成されている。
【００３２】
〈室内ユニット〉
上記室内ユニット（1B）は、第１熱交換器としての室内熱交換器（41）と膨張機構である室内膨張弁（42）とを備えている。上記室内熱交換器（41）のガス側は、連絡ガス管（17）が接続されている。一方、上記室内熱交換器（41）の液側は、室内膨張弁（42）を介して第２連絡液管（12）が接続され、この第２連絡液管（12）が室外ユニット（1A）に延びる接続液管（19）に接続されている。なお、上記室内熱交換器（41）は、例えば、クロスフィン式のフィン・アンド・チューブ型熱交換器であって、室内ファン（43）が近接して配置されている。
【００３３】
〈冷蔵ユニット〉
上記冷蔵ユニット（1C）は、第２熱交換器としての冷蔵熱交換器（45）と膨張機構である冷蔵膨張弁（46）とを備えている。上記冷蔵熱交換器（45）の液側は、電磁弁（7a）及び冷蔵膨張弁（46）を介して第１連絡液管（11）が接続されている。一方、上記冷蔵熱交換器（45）のガス側は、低圧ガス管（15）が接続されている。
【００３４】
上記冷蔵熱交換器（45）は、低圧ガス管（15）を介して吸入側三方切換弁（102）の第３ポートに連通する一方、上記室内熱交換器（41）は、冷房運転時に連絡ガス管（17）を介して吸入側三方切換弁（102）の第２ポートに連通する。上記吸入側三方切換弁（102）の流量調整により、冷蔵熱交換器（45）の冷媒圧力（蒸発圧力）は室内熱交換器（41）の冷媒圧力（蒸発圧力）より低くなる。この結果、上記冷蔵熱交換器（45）の冷媒蒸発温度は、例えば、−１０℃となり、室内熱交換器（41）の冷媒蒸発温度は、例えば、＋５℃となって冷媒回路（1E）が異温度蒸発の回路を構成している。
【００３５】
なお、上記冷蔵膨張弁（46）は、感温式膨張弁であって、感温筒が冷蔵熱交換器（45）のガス側に取り付けられている。上記冷蔵熱交換器（45）は、例えば、クロスフィン式のフィン・アンド・チューブ型熱交換器であって、冷蔵ファン（47）が近接して配置されている。
【００３６】
〈冷凍ユニット〉
上記冷凍ユニット（1D）は、第２熱交換器としての冷凍熱交換器（51）と膨張機構である冷凍膨張弁（52）とを備えている。上記冷凍熱交換器（51）の液側は、第１連絡液管（11）より分岐した分岐液管（13）が電磁弁（7b）及び冷凍膨張弁（52）を介して接続されている。
【００３７】
なお、上記冷凍膨張弁（52）は、感温式膨張弁であって、感温筒が冷凍熱交換器（51）のガス側に取り付けられている。上記冷凍熱交換器（51）は、例えば、クロスフィン式のフィン・アンド・チューブ型熱交換器であって、冷凍ファン（58）が近接して配置されている。
【００３８】
〈ブースタユニット〉
ブースタユニット（1F）は、ブースタ圧縮機（53）と過冷却用熱交換器（210）とを備えている。
【００３９】
上記ブースタ圧縮機（53）は、冷凍熱交換器（51）の冷媒蒸発温度が冷蔵熱交換器（45）の冷媒蒸発温度より低くなるようにインバータ圧縮機（2）との間で冷媒を２段圧縮している。上記冷凍熱交換器（51）の冷媒蒸発温度は、例えば、−４０℃に設定されている。
【００４０】
上記冷凍熱交換器（51）のガス側とブースタ圧縮機（53）の吸込側とは、接続ガス管（54）によって接続されている。該ブースタ圧縮機（53）の吐出側には、低圧ガス管（15）より分岐した分岐ガス管（16）が接続されている。該分岐ガス管（16）には、逆止弁（7）とオイルセパレータ（55）とが設けられている。該オイルセパレータ（55）と接続ガス管（54）との間には、キャピラリチューブを有する油戻し管（57）が接続されている。
【００４１】
また、上記ブースタ圧縮機（53）の吸込側である接続ガス管（54）とブースタ圧縮機（53）の吐出側である分岐ガス管（16）の逆止弁（7）の下流側との間には、逆止弁（7）を有するバイパス管（59）が接続されている。該バイパス管（59）は、ブースタ圧縮機（53）の故障などの停止時に該ブースタ圧縮機（53）をバイパスして冷媒が流れるように構成されている。
【００４２】
上記過冷却用熱交換器（210）は、いわゆるプレート式熱交換器によって構成されている。過冷却用熱交換器（210）には、第１流路（211）と第２流路（212）とが複数ずつ形成されている。上記第１連絡液管（11）から第３連絡液管（18）が分岐している。上記過冷却用熱交換器（210）の第１流路（211）は、上記第１連絡液管（11）の一部を構成している。第２流路（212）は、上記第３連絡液管（18）の一部を構成している。
【００４３】
上記第３連絡液管（18）における第１連絡液管（11）との分岐点から第２流路（212）までの間には、過冷却用膨張弁（223）が設けられている。この過冷却用膨張弁（223）は、感温式膨張弁によって構成されており、感温筒が第２流路（212）の反対側に取り付けられている。
【００４４】
そして、上記過冷却用熱交換器（210）は、過冷却用膨張弁（223）が開いたときに、第１流路（211）を流れる冷媒と、第２流路（212）を流れる冷凍装置（10）の冷媒とを熱交換させる。この第１流路（211）を流れて過冷却された冷媒が第１連絡液管（11）を通って冷蔵熱交換器（45）と冷凍熱交換器（51）とに流れるように構成されている。
【００４５】
〈制御系統〉
上記冷媒回路（1E）には、各種センサ及び各種スイッチが設けられている。上記室外ユニット（1A）の吐出側三方切換弁（101）の第３ポートの近傍には、高圧冷媒圧力を検出する高圧圧力センサ（61）が設けられている。インバータ圧縮機（2）には、高圧冷媒温度を検出する吐出温度センサ（62）が設けられている。
【００４６】
上記インバータ圧縮機（2）の吸入管（6）の近傍には、低圧冷媒圧力を検出する低圧圧力センサ（65,66）と、低圧冷媒温度を検出する吸入温度センサ（67）とが設けられている。
【００４７】
また、上記室外ユニット（1A）には、室外空気温度を検出する外気温センサ（70）が設けられている。
【００４８】
上記室内熱交換器（41）には、室内熱交換器（41）における冷媒温度である凝縮温度又は蒸発温度を検出する室内熱交換センサ（71）が設けられると共に、ガス側にガス冷媒温度を検出するガス温センサ（72）が設けられている。また、上記室内ユニット（1B）には、室内空気温度を検出する室温センサ（73）が設けられている。
【００４９】
上記冷蔵ユニット（1C）には、冷蔵用のショーケース内の庫内温度を検出する冷蔵温度センサ（74）が設けられている。上記冷凍ユニット（1D）には、冷凍用のショーケース内の庫内温度を検出する冷凍温度センサ（75）が設けられている。
【００５０】
上記各種センサ及び各種スイッチの出力信号は、コントローラ（80）（図１にのみ示す）に入力されている。該コントローラ（80）は、インバータ圧縮機（2）の容量などを制御するように構成されている。
【００５１】
また、上記コントローラ（80）は、冷媒回路（1E）の運転を制御し、冷房運転と冷凍運転と冷房冷凍運転と暖房運転と第１乃至第３暖房冷凍運転とを切り換えて制御するように構成されている。
【００５２】
上記コントローラ（80）の制御により、上記吐出側三方切換弁（101）は、室外熱交換器（4）が蒸発器となるときには、第２ポートが完全に閉じられ、第３ポート側に冷媒が全て流れる。一方、暖房運転中の室内熱交換器（41）が凝縮器となるときで且つサーモオフのときには、第３ポート側が完全に閉じられ、第２ポート側に冷媒が全て流れる。また、室内熱交換器（41）及び室外熱交換器（4）が凝縮器となる熱回収運転時には、インバータ圧縮機（2）の吐出圧力が一定以上になったことを高圧圧力センサ（61）によって検出したときに、吐出圧を一定以下とするように、第２ポートが開くように制御される。
【００５３】
上記コントローラ（80）の制御により、吸入側三方切換弁（102）は、室内ユニット（1B）のみの運転時には、その第３ポートは常に閉じられる。
【００５４】
−運転動作−
次に、上記冷凍装置（1）が行う主な運転動作について説明する。
〈冷房モード〉
冷房モードは、冷房運転と冷凍運転と冷房冷凍運転とのいずれかに切り換わる。
【００５５】
〈冷房運転〉
図２に示すように、この冷房運転は、室内ユニット（1B）の冷房のみを行う運転である。
【００５６】
また、四路切換弁（3A）は、図２の実線で示すように、それぞれＯＦＦ状態に切り換わる。更に、冷蔵ユニット（1C）の電磁弁（7a）及び冷凍ユニット（1D）の電磁弁（7b）が閉鎖している。
【００５７】
この状態において、インバータ圧縮機（2）から吐出した冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第２連絡液管（12）を流れ、室内膨張弁（42）を経て室内熱交換器（41）に流れて蒸発する。蒸発したガス冷媒は、連絡ガス管（17）から四路切換弁（3A）を経て吸入側三方切換弁（102）の第２ポートを通ってインバータ圧縮機（2）に戻る。この循環を繰り返し、室内である店内を冷房する。
【００５８】
また、上記室内膨張弁（42）の開度は、室内熱交換センサ（71）とガス温センサ（72）の検出温度に基づいて過熱度制御され、以下、冷房モードでは同じである。
【００５９】
〈冷凍運転〉
この冷凍運転は、冷蔵ユニット（1C）と冷凍ユニット（1D）の冷却のみを行う運転である。
【００６０】
また、四路切換弁（3A）は、図３の実線で示すように、ＯＦＦ状態に切り換わる。更に、冷蔵ユニット（1C）の電磁弁（7a）及び冷凍ユニット（1D）の電磁弁（7b）が開口される一方、室内膨張弁（42）が閉鎖している。
【００６１】
この状態において、インバータ圧縮機（2）から吐出した冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）を流れ、一部が冷蔵膨張弁（46）を経て冷蔵熱交換器（45）に流れて蒸発する。
【００６２】
一方、第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００６３】
上記冷蔵熱交換器（45）で蒸発したガス冷媒とブースタ圧縮機（53）から吐出したガス冷媒とは、低圧ガス管（15）で合流し、吸入側三方切換弁（102）の第３ポートを通ってインバータ圧縮機（2）に戻る。この循環を繰り返し、冷蔵用のショーケースと冷凍用のショーケースである庫内を冷却する。
【００６４】
したがって、上記冷凍熱交換器（51）における冷媒圧力は、ブースタ圧縮機（53）で吸引されるので、冷蔵熱交換器（45）における冷媒圧力より低圧となる。この結果、例えば、上記冷凍熱交換器（51）における冷媒温度（蒸発温度）が−４０℃となり、上記冷蔵熱交換器（45）における冷媒温度（蒸発温度）が−１０℃となる。
【００６５】
また、上記冷蔵膨張弁（46）及び冷凍膨張弁（52）の開度は、感温筒による過熱度制御が行われ、以下、各運転で同じである。
【００６６】
〈冷房冷凍運転〉
図４に示すように、この冷房冷凍運転は、室内ユニット（1B）の冷房と冷蔵ユニット（1C）及び冷凍ユニット（1D）の冷却とを同時に行う運転である。
【００６７】
また、四路切換弁（3A）は、図４の実線で示すように、それぞれＯＦＦ状態に切り換わる。更に、室内膨張弁（42）、冷蔵ユニット（1C）の電磁弁（7a）及び冷凍ユニット（1D）の電磁弁（7b）が開口されている。
【００６８】
この状態において、インバータ圧縮機（2）から吐出した冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）と第２連絡液管（12）とに分かれて流れる。
【００６９】
上記第２連絡液管（12）を流れる液冷媒は、室内膨張弁（42）を経て室内熱交換器（41）に流れて蒸発する。蒸発したガス冷媒は、連絡ガス管（17）から四路切換弁（3A）を経て吸入側三方切換弁（102）の第２ポートを通るときに減圧されてインバータ圧縮機（2）に戻る。
【００７０】
一方、上記第１連絡液管（11）を流れる液冷媒の一部が冷蔵膨張弁（46）を経て冷蔵熱交換器（45）に流れて蒸発する。また、上記第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００７１】
上記冷蔵熱交換器（45）で蒸発したガス冷媒とブースタ圧縮機（53）から吐出したガス冷媒とは、低圧ガス管（15）で合流し、吸入側三方切換弁（102）の第３ポートを通ってインバータ圧縮機（2）に戻る。
【００７２】
この循環を繰り返し、室内である店内を冷房すると同時に、冷蔵用のショーケースと冷凍用のショーケースである庫内を冷却する。
【００７３】
そこで、上記冷房冷凍運転時における冷媒挙動を図５を用いて説明する。なお、この場合、簡略化のために、エコノマイザー用熱交換器（103）や過冷却用熱交換器（210）での過冷却の作用については省略する。
【００７４】
まず、上記インバータ圧縮機（2）によって冷媒がＡ点まで圧縮される。Ａ点の冷媒は、凝縮してＢ点の冷媒となる。このＢ点の冷媒の一部は、室内膨張弁（42）でＣ点まで減圧し、例えば、＋５℃で蒸発し、Ｄ点で吸入側三方切換弁（102）の第２ポートを通るときにＥ点まで減圧され、インバータ圧縮機（2）に吸引される。
【００７５】
また、上記Ｂ点の冷媒の一部は、冷蔵膨張弁（46）でＦ点まで減圧し、例えば、−１０℃で蒸発し、Ｅ点でインバータ圧縮機（2）に吸引される。
【００７６】
また、上記Ｂ点の冷媒の一部は、ブースタ圧縮機（53）で吸引されるので、冷凍膨張弁（52）でＧ点まで減圧し、例えば、−４０℃で蒸発し、Ｈ点でブースタ圧縮機（53）に吸引される。このブースタ圧縮機（53）でＩ点まで圧縮された冷媒は、Ｅ点でインバータ圧縮機（2）に吸引される。
【００７７】
このように、冷媒回路（1E）の冷媒は、吸入側三方切換弁（102）によって異温度蒸発し、更に、ブースタ圧縮機（53）による２段圧縮によって３種類の蒸発温度となる。
〈暖房モード〉
暖房モードは、上記コントローラ（80）の制御により、暖房運転と第１暖房冷凍運転と第２暖房冷凍運転と第３暖房冷凍運転のいずれに切り換わる。
【００７８】
〈暖房運転〉
この暖房運転は、室内ユニット（1B）の暖房のみを行う運転である。また、四路切換弁（3A）は、図６の実線で示すように、ＯＮ状態に切り換わる。吐出側三方切換弁（101）の第２ポートは閉じている。吸入側三方切換弁（102）の第３ポートは閉じている。更に、冷蔵ユニット（1C）の電磁弁（7a）及び冷凍ユニット（1D）の電磁弁（7b）が閉鎖している。
【００７９】
この状態において、インバータ圧縮機（2）から吐出した冷媒は、吐出側三方切換弁（101）の第３ポートを通って、四路切換弁（3A）から連絡ガス管（17）を経て室内熱交換器（41）に流れて凝縮する。凝縮した液冷媒は、第２連絡液管（12）を流れ、レシーバ（14）に流れる。その後、上記液冷媒は、暖房用電子膨張弁（104）を経て室外熱交換器（4）に流れて蒸発する。蒸発したガス冷媒は、室外ガス管（9）から四路切換弁（3A）及び吸入側三方切換弁（102）を経て、インバータ圧縮機（2）に戻る。この循環を繰り返し、室内である店内を暖房する。
【００８０】
また、上記暖房用電子膨張弁（104）の開度は、低圧圧力センサ（65,66）に基づく圧力相当飽和温度と吸入温度センサ（67）の検出温度によって過熱度制御される。上記室内膨張弁（42）の開度は、室内熱交換センサ（71）の検出温度に基づいて過冷却制御される。この暖房用電子膨張弁（104）及び室内膨張弁（42）の開度制御は、以下、暖房モードで同じである。
【００８１】
〈第１暖房冷凍運転〉
この第１暖房冷凍運転は、室外熱交換器（4）を用いず、室内ユニット（1B）の暖房と冷蔵ユニット（1C）及び冷凍ユニット（1D）の冷却を行う運転である。
【００８２】
図７の実線で示すように、四路切換弁（3A）は、ＯＮ状態に切り換わる。吐出側三方切換弁（101）の第２ポートは閉じている。吸入側三方切換弁（102）の第３ポートは開いている。更に、冷蔵ユニット（1C）の電磁弁（7a）及び冷凍ユニット（1D）の電磁弁（7b）が開口する一方、暖房用電子膨張弁（104）が閉鎖している。
【００８３】
この状態において、インバータ圧縮機（2）から吐出した冷媒は、吐出側三方切換弁（101）において、全て第３ポート側に送られる。この冷媒が四路切換弁（3A）から連絡ガス管（17）を経て室内熱交換器（41）に流れて凝縮する。凝縮した液冷媒は、第２連絡液管（12）から第１連絡液管（11）を流れる。
【００８４】
上記第１連絡液管（11）を流れる液冷媒は、その一部が冷蔵膨張弁（46）を経て冷蔵熱交換器（45）に流れて蒸発する。また、上記第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００８５】
上記冷蔵熱交換器（45）で蒸発したガス冷媒とブースタ圧縮機（53）から吐出したガス冷媒とは、低圧ガス管（15）で合流し、インバータ圧縮機（2）に戻る。この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスし、１００％の熱回収が行われる。
【００８６】
〈第２暖房冷凍運転〉
図８に示すように、この第２暖房冷凍運転は、上記第１暖房冷凍運転時に室内ユニット（1B）の暖房能力が余る暖房の能力過剰運転である。
【００８７】
この第２暖房冷凍運転は、上記第１暖房冷凍運転時において、暖房能力が余る場合の熱回収運転である。
【００８８】
インバータ圧縮機（2）の吐出圧力が一定以上になったことを高圧圧力センサ（61）によって検出したときに、上記コントローラ（80）の制御により、第２ポートが開くように制御され、インバータ圧縮機（2）から吐出した冷媒は、吐出側三方切換弁（101）によって分配される。すなわち、室内熱交換器（41）で必要な凝縮熱を与えることのできる流量の冷媒のみを、その第３ポートを通して室内熱交換器（41）に流し、凝縮する。凝縮した液冷媒は、第２連絡液管（12）を通って第１連絡液管（11）に流れる。
【００８９】
一方、インバータ圧縮機（2）から吐出した残りの冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）において上記室内熱交換器（41）を通過した冷媒と合流する。
【００９０】
その後、上記第１連絡液管（11）を流れる液冷媒の一部が冷蔵熱交換器（45）に流れて蒸発する。また、上記第１連絡液管（11）を流れる他の液冷媒は、冷凍熱交換器（51）に流れて蒸発する。上記冷蔵熱交換器（45）で蒸発したガス冷媒と、冷凍熱交換器（51）で蒸発した後ブースタ圧縮機（53）から吐出されたガス冷媒とは、低圧ガス管（15）で合流し、吸入側三方切換弁（102）の第３ポートを通ってインバータ圧縮機（2）に戻る。この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスせず、余る凝縮熱のみを室外熱交換器（4）で室外に放出する。
【００９１】
〈第３暖房冷凍運転〉
この第３暖房冷凍運転は、上記第１暖房冷凍運転時に室内ユニット（1B）の暖房能力が不足する暖房の能力不足運転である。つまり、蒸発熱量が不足している場合である。
【００９２】
図９の実線で示すように、四路切換弁（3A）は、ＯＮ状態に切り換わる。吐出側三方切換弁（101）の第２ポートは閉じている。吸入側三方切換弁（102）は第２ポート及び第３ポートが開いている。更に、室内膨張弁（42）、冷蔵ユニット（1C）の電磁弁（7a）及び冷凍ユニット（1D）の電磁弁（7b）が開口している。
【００９３】
したがって、インバータ圧縮機（2）から吐出した冷媒は、上記第１暖房冷凍運転と同様に全て室内熱交換器（41）に流れて凝縮する。凝縮した液冷媒は、第２連絡液管（12）を通って第１連絡液管（11）とレシーバ（14）とに流れる。
【００９４】
その後、上記第１連絡液管（11）を流れる液冷媒の一部が冷蔵熱交換器（45）に流れて蒸発する。また、上記第１連絡液管（11）を流れる他の液冷媒は、冷凍熱交換器（51）に流れて蒸発する。上記冷蔵熱交換器（45）で蒸発したガス冷媒と冷凍熱交換器（51）で蒸発した後ブースタ圧縮機（53）から吐出したガス冷媒とは、低圧ガス管（15）で合流し、吸入側三方切換弁（102）の第３ポートを通るときに減圧されてインバータ圧縮機（2）に戻る。
【００９５】
一方、上記レシーバ（14）側に流れ込んだ他の液冷媒は、第２液管（10b）を経て暖房用電子膨張弁（104）を通って室外熱交換器（4）に流れ、蒸発する。蒸発したガス冷媒は、室外ガス管（9）を流れ、四路切換弁（3A）及び吸入側三方切換弁（102）を経てインバータ圧縮機（2）に戻る。
【００９６】
この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスせず、不足する蒸発熱を室外熱交換器（4）から得る。
【００９７】
そこで、上記第３暖房冷凍運転時における冷媒挙動を図１０を用いて説明する。なお、この場合、簡略化のために、エコノマイザー用熱交換器（103）や過冷却用熱交換器（210）での過冷却の作用については省略する。
【００９８】
まず、上記インバータ圧縮機（2）によって冷媒がＡ点まで圧縮される。Ａ点の冷媒は、凝縮してＢ点の冷媒となる。このＢ点の冷媒は、暖房用電子膨張弁（104）でＣ点まで減圧し、例えば、−１５℃で蒸発し、Ｄ点でインバータ圧縮機（2）に吸引される。
【００９９】
また、上記Ｂ点の冷媒の一部は、冷蔵膨張弁（46）でＥ点まで減圧し、例えば、−１０℃で蒸発し、Ｆ点で吸入側三方切換弁（102）の第３ポートを通るときにＤ点まで減圧されてインバータ圧縮機（2）に吸引される。
【０１００】
また、上記Ｂ点の冷媒の一部は、ブースタ圧縮機（53）で吸引されるので、冷凍膨張弁（52）でＧ点まで減圧し、例えば、−４０℃で蒸発し、Ｈ点でブースタ圧縮機（53）に吸引される。このブースタ圧縮機（53）でＩ点まで圧縮された冷媒は、Ｆ点で吸入側三方切換弁（102）の第３ポートを通るときにＤ点まで減圧されてインバータ圧縮機（2）に吸引される。
【０１０１】
このように、冷媒回路（1E）の冷媒は、吸入側三方切換弁（102）によって異温度蒸発し、更に、ブースタ圧縮機（53）による２段圧縮によって３種類の蒸発温度となる。
【０１０２】
〈能力調整方法〉
次に、上記各運転における空調能力（冷房能力又は暖房能力）及び冷蔵冷凍能力の調整方法について説明する。
【０１０３】
コントローラ（80）は、インバータ圧縮機（2）又は吸入側三方切換弁（102）を制御することによって各熱交換器（41,45,51）の冷媒流量を調整し、空調能力や冷却能力を調整する。具体的に、コントローラ（80）は、冷媒の低圧圧力（蒸発圧力）とその目標圧力との圧力差（以下、単に冷媒の圧力差という。）に基づいてインバータ圧縮機（2）又は吸入側三方切換弁（102）を制御する。なお、空調側の冷媒の圧力差は低圧圧力センサ（65）の検出圧力とその目標圧力との差であり、冷却側の冷媒の圧力差は低圧圧力センサ（66）の検出圧力とその目標圧力との差である。
【０１０４】
例えば、上記冷房冷凍運転において、負荷が増大して空調側及び冷却側の両方の冷媒の圧力差が大きくなると、コントローラ（80）は、インバータ圧縮機（2）の運転容量を増大させる。つまり、吸入側三方切換弁（102）において、第２ポート及び第３ポートの流量分配比は変化しないが、各ポートを流れる冷媒流量が多くなる。これにより、室内熱交換器（41）、冷蔵熱交換器（45）及び冷凍熱交換器（51）の冷媒流量が増大し、冷房能力及び冷蔵冷凍能力が増大する。なお、負荷が増大すると、冷媒の低圧圧力は目標圧力より高くなる。また、空調側及び冷却側の一方の負荷が増大した場合、コントローラ（80）はインバータ圧縮機（2）の運転容量を増大させ、吸入側三方切換弁（102）の流量分配比を変える。つまり、吸入側三方切換弁（102）の全体流量を増大させ、且つ、その増大分が負荷増大側のポートを流れるように吸入側三方切換弁（102）の流量分配比が変えられる。
【０１０５】
ところが、インバータ圧縮機（2）を最大容量で運転していた場合、コントローラ（80）は、吸入側三方切換弁（102）を制御して冷媒の圧力差が大きい方を優先して冷媒流量を増大させる。例えば、空調側が冷却側より冷媒の圧力差が大きい場合、吸入側三方切換弁（102）において第２ポートの冷媒流量が増大し、その分第３ポートの冷媒流量が減少するように各ポート間の流量分配比を変える。つまり、吸入側三方切換弁（102）を流れる冷媒の総流量は変化しない。これにより、室内熱交換器（41）の冷媒流量が増大して冷房能力が増大する一方、冷蔵熱交換器（45）及び冷凍熱交換器（51）の冷媒流量が減少して冷蔵冷凍能力が低下するので、双方の能力をほぼ均衡させることができ、大幅な能力不足を抑制することができる。
【０１０６】
なお、コントローラ（80）は、第３暖房冷凍運転においても同様の制御を行う。また、冷房運転、冷凍運転、暖房運転、第１暖房冷凍運転及び第２暖房冷凍運転において、負荷が増大すると、コントローラ（80）がインバータ圧縮機（2）の運転容量を増大させる。
【０１０７】
−実施形態の効果−
以上説明したように、上記実施形態の冷凍装置（1）によれば、吸入側三方切換弁（102）によって、第１熱交換器（41）の蒸発温度を冷蔵熱交換器（45）及び冷凍熱交換器（51）の蒸発温度よりも高く保ちながら流路を切り換えるようにしている。このため、複数の圧縮機によって蒸発圧力の差を与えたり、別途圧力調整弁を設けなくても、冷凍装置は効率よく各運転切換を行うことができる。
【０１０８】
−実施形態の各変形例−
この各変形例は、コントローラ（80）が冷媒の低圧圧力以外のパラメータに基づいてインバータ圧縮機（2）及び吸入側三方切換弁（102）を制御するようにしたものである。
【０１０９】
先ず、変形例１は、コントローラ（80）が各熱交換器（41,45,51）における吸い込み空気温度とその目標温度との温度差（以下、単に空気の温度差という。）に基づいてインバータ圧縮機（2）等を制御する。つまり、空調側の空気の温度差は、室内ファン（43）によって取り込まれた空気温度とその目標温度との差である。冷却側の空気の温度差は、冷蔵ファン（47）によって取り込まれた空気温度とその目標温度との差および冷凍ファン（58）によって取り込まれた空気温度とその目標温度との差の大きい方である。
【０１１０】
この場合、例えば、冷房冷凍運転において、負荷が増大して空調側および冷却側の空気の温度差が増大すると、すなわち空気温度が目標温度より高くなると、インバータ圧縮機（2）の運転容量を増大させる。ここで、インバータ圧縮機（2）を最大容量で運転していた場合、吸入側三方切換弁（102）を制御して空気の温度差が大きい方を優先して冷媒流量を増大させる。
【０１１１】
変形例２は、コントローラ（80）が冷媒の蒸発温度とその目標温度との温度差（以下、単に冷媒の温度差という。）に基づいてインバータ圧縮機（2）等を制御する。つまり、空調側の冷媒の温度差は、冷房時では室内熱交換器（41）における冷媒温度又は暖房時では室外熱交換器（4）における冷媒温度とその目標温度との差である。冷却側の冷媒の温度差は、冷蔵熱交換器（45）における冷媒温度とその目標温度との差および冷凍熱交換器（51）における冷媒温度とその目標温度との差の大きい方である。
【０１１２】
この場合、例えば、冷房冷凍運転において、負荷が増大して空調側および冷却側の冷媒の温度差が増大すると、すなわち冷媒の蒸発温度が目標温度より高くなると、インバータ圧縮機（2）の運転容量を増大させる。ここで、インバータ圧縮機（2）を最大容量で運転していた場合、吸入側三方切換弁（102）を制御して冷媒の温度差が大きい方を優先して冷媒流量を増大させる。
【０１１３】
変形例３は、室内熱交換器（41）、冷蔵熱交換器（45）および冷凍熱交換器（51）がそれぞれ複数並列に設けられている場合である。そして、コントローラ（80）は、各熱交換器（41,45,51）の運転台数又は運転台数の割合に基づいてインバータ圧縮機（2）等を制御する。基本的に、コントローラ（80）は、各熱交換器（41,45,51）が同数台ずつ設けられている場合、運転台数に基づき、各熱交換器（41,45,51）の台数が異なる場合、運転台数の割合に基づく。
【０１１４】
この場合、例えば、冷房冷凍運転において、負荷が増大して各熱交換器（41,45,51）の運転台数又は運転台数の割合が増大すると、インバータ圧縮機（2）の運転容量を増大させる。ここで、インバータ圧縮機（2）を最大容量で運転していた場合、吸入側三方切換弁（102）を制御して運転台数の多い方、又は運転台数の割合の多い方を優先して冷媒流量を増大させる。
【０１１５】
変形例４は、冷媒の高圧圧力、冷媒の凝縮温度又は外気温度が上昇した場合、コントローラ（80）が上述した冷媒の低圧圧力に基づいて吸入側三方切換弁（102）を制御する。ここで、冷媒の高圧圧力は高圧圧力センサ（61）の検出圧力である。冷媒の凝縮温度は、冷房時では室外熱交換器（4）における冷媒温度又は暖房時では室内熱交換器（41）における冷媒温度である。外気温度は外気温センサ（70）の検出温度である。
【０１１６】
具体的に、冷媒の高圧圧力、冷媒の凝縮温度又は外気温度が上昇して負荷が増大したと判断した場合、コントローラ（80）はインバータ圧縮機（2）の運転容量を増大させる。このとき、インバータ圧縮機（2）を最大容量で運転していた場合、吸入側三方切換弁（102）を制御して空調側および冷却側のうち冷媒の低圧圧力が低い方を優先して冷媒流量を増大させる。なお、コントローラ（80）は、上記冷媒の低圧圧力に代えて、その目標圧力か、冷媒の蒸発温度か、取り込まれる空気温度の目標温度が低い方の冷媒流量を増大するように吸入側三方切換弁（102）を制御するようにしてもよい。
【０１１７】
（その他の実施形態）
上記実施形態では、流量調整手段として吐出側三方切換弁（101）を設けているが、流量調整可能な四方切換弁であってももよく、いずれの場合にも、上記実施形態と同様の作用効果が得られる。
【産業上の利用可能性】
【０１１８】
以上説明したように、本発明は、コンビニエンスストアやスーパーマーケットなどに用いられる空調熱交換器と冷却熱交換器とを備えた冷凍装置について有用である。
【図面の簡単な説明】
【０１１９】
【図１】実施形態に係る冷凍装置の冷媒回路を示す回路図である。
【図２】冷房運転時の冷媒流れを示す冷媒回路図である。
【図３】冷凍運転時の冷媒流れを示す冷媒回路図である。
【図４】冷房冷凍運転時の冷媒流れを示す冷媒回路図である。
【図５】冷房冷凍運転時における冷媒挙動を示すモリエル線図である。
【図６】暖房運転時の冷媒流れを示す冷媒回路図である。
【図７】第１暖房冷凍運転時の冷媒流れを示す冷媒回路図である。
【図８】第２暖房冷凍運転時の冷媒流れを示す冷媒回路図である。
【図９】第３暖房冷凍運転時の冷媒流れを示す冷媒回路図である。
【図１０】第３暖房冷凍運転時における冷媒挙動を示すモリエル線図である。
【符号の説明】
【０１２０】
１Ｅ    冷媒回路
２      圧縮機
４      熱源側熱交換器
６      吸入管
４１      空調熱交換器（第１熱交換器）
４５      冷蔵熱交換器（第２熱交換器）
５１      冷凍熱交換器（第２熱交換器）
１０２      吸入側三方切換弁（流量調整手段）
【図１】
2006071271.tif 000003
【図２】
2006071271.tif 000004
【図３】
2006071271.tif 000005
【図４】
2006071271.tif 000006
【図５】
2006071271.tif 000007
【図６】
2006071271.tif 000008
【図７】
2006071271.tif 000009
【図８】
2006071271.tif 000010
【図９】
2006071271.tif 000011
【図１０】
2006071271.tif 000012
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
圧縮機（2）と、熱源側熱交換器（4）と、膨張機構と、第１の温度で蒸発する第１熱交換器（41）と、第２の温度で蒸発する第２熱交換器（45,51）とが接続された冷媒回路（1E）を備える冷凍装置であって、
上記冷媒回路（1E）は、上記第１熱交換器（41）と第２熱交換器（45,51）とが並列に接続され、圧縮機（2）の吸入側には、第１熱交換器（41）から圧縮機（2）へ向かう冷媒を流し且つ第２熱交換器（45,51）から圧縮機（2）へ向かう冷媒を遮断する状態と、第１熱交換器（41）から圧縮機（2）へ向かう冷媒を遮断し且つ第２熱交換器（45,51）から圧縮機（2）へ向かう冷媒を流す状態と、第１熱交換器（41）及び第２熱交換器（45,51）から圧縮機（2）へ向かう冷媒を流量可変に流す状態とに切り換える流量調整手段（102）を備えている
ことを特徴とする冷凍装置。
【請求項２】
請求項１に記載の冷凍装置において、
上記流量調整手段は、圧縮機（2）の吸入管（6）と、第１熱交換器（41）及び第２熱交換器（45,51）とに接続された流量調整可能な切換弁（102）である
ことを特徴とする冷凍装置。
【手続補正２】
【補正対象書類名】明細書
【補正対象項目名】全文
【補正方法】変更
【補正の内容】
【発明の詳細な説明】
【技術分野】
【０００１】
本発明は、冷凍装置に関し、特に、室内を空調するための空調熱交換器と庫内を冷却するための冷却熱交換器とを備えた冷凍装置に係るものである。
【背景技術】
【０００２】
従来より、冷凍サイクルを行う冷凍装置が知られており、室内を冷暖房する空調機や、食品等を貯蔵する冷蔵庫などの冷却機として広く利用されている。この冷凍装置には、空調と冷蔵との両方を行うものがあり、例えば、空調熱交換器及び冷却熱交換器などの複数の利用側熱交換器を備え、コンビニエンスストアなどに設置されている。この冷凍装置は、１つの冷凍装置を設置するだけで、店内の空調とショーケースなどの冷却との両方を行うことができる（例えば、特許文献１及び２参照）。
【０００３】
上記従来の冷凍装置は、複数の圧縮機を備え、上記空調熱交換器に冷媒を送る圧縮機と冷却熱交換器に冷媒を送る圧縮機との間で蒸発圧力の差を与えることで、空調熱交換器と冷却熱交換器とで冷媒が異温度蒸発するようにしている。このようにして、流路を切り換えて、空調のみ、冷蔵のみ、空調と冷蔵の組み合わせの各運転を行うことができる。
【特許文献１】特許第３２５３２８３号公報
【特許文献２】特開２００３−７５０２２号公報
【発明の開示】
【発明が解決しようとする課題】
【０００４】
ところで、上記従来の冷凍装置において、空調熱交換器のガス側に蒸発圧力調整弁を設ければ、別々の圧縮機で蒸発圧力の差を与えなくても、空調熱交換器内の蒸発圧力を常に設定値以上に保持し、空調熱交換器と冷却熱交換器とで冷媒が異温度蒸発するようにして、各運転を切り換えることが可能である。したがって、冷媒回路の簡略化が可能となる。
【０００５】
しかし、空調熱交換器のガス側に別途蒸発圧力調整弁を設けることは、部品点数が増え、製造コストが高くなると共に、圧力損失が増加するという問題があった。
【０００６】
本発明は、かかる点に鑑みてなされたものであり、その目的とするところは、簡単な構成により、空調熱交換器と冷却熱交換器との間の蒸発圧力の差を可変にして各運転切換を効率よく行うことにある。
【課題を解決するための手段】
【０００７】
上記の目的を達成するために、この発明では、第１熱交換器（41）及び第２熱交換器（45,51）と、圧縮機（2）との流路を冷媒量可変に切り換える流量調整手段（102）を設けた。
【０００８】
具体的には、第１の発明では、圧縮機（2）と、熱源側熱交換器（4）と、膨張機構と、第１の温度で蒸発する第１熱交換器（41）と、第２の温度で蒸発する第２熱交換器（45,51）とが接続された冷媒回路（1E）を備える冷凍装置を対象とする。
【０００９】
そして、上記冷媒回路（1E）は、上記第１熱交換器（41）と第２熱交換器（45,51）とが並列に接続され、圧縮機（2）の吸入側には、第１熱交換器（41）から圧縮機（2）へ向かう冷媒を流し且つ第２熱交換器（45,51）から圧縮機（2）へ向かう冷媒を遮断する状態と、第１熱交換器（41）から圧縮機（2）へ向かう冷媒を遮断し且つ第２熱交換器（45,51）から圧縮機（2）へ向かう冷媒を流す状態と、第１熱交換器（41）及び第２熱交換器（45,51）から圧縮機（2）へ向かう冷媒を流量可変に流す状態とに切り換える流量調整手段（102）を備えている。
【００１０】
上記の構成によると、圧縮機（2）の吸入側に設けた流量調整手段（102）が、並列に接続された第１熱交換器（41）および第２熱交換器（45,51）の何れか一方において冷媒を蒸発させるように、また第１熱交換器（41）と第２熱交換器（45,51）とにおいて、それぞれ異なる温度で蒸発するように冷媒量を切り換えることで、各運転切換が行われる。
【００１１】
第２の発明では、上記流量調整手段は、圧縮機（2）の吸入管（6）と、第１熱交換器（41）及び第２熱交換器（45,51）とに接続された流量調整可能な切換弁（102）とする。
【００１２】
上記の構成によると、冷凍装置は、切換弁（102）を操作することで、第１熱交換器（41）と第２熱交換器（45,51）との間の蒸発温度の差を保ちながら流路を切り換えることで各運転を行うことができる。
【発明の効果】
【００１３】
以上説明したように、本願発明によれば、流量調整手段（102）によって、第１熱交換器（41）の蒸発温度を第２熱交換器（45,51）の蒸発温度よりも高く保ちながら冷媒量を切り換えるようにしている。このため、複数の圧縮機によって蒸発圧力の差を与えたり、別途圧力調整弁を設けなくても、冷凍装置は効率よく各運転切換を行うことができる。
【発明を実施するための最良の形態】
【００１４】
以下、本発明の実施形態を図面に基づいて説明する。なお、以下の実施形態は、本質的に好ましい例示であって、本発明、その適用物や用途の範囲を制限することを意図するものではない。
【００１５】
図１に示すように、本実施形態に係る冷凍装置（1）は、コンビニエンスストアやスーパーマーケットに設けられ、庫内であるショーケース（図示せず）の冷却と室内である店内の冷暖房とを行うためのものである。
【００１６】
上記冷凍装置（1）は、室外ユニット（1A）と室内ユニット（1B）と冷蔵ユニット（1C）と冷凍ユニット（1D）とを有し、蒸気圧縮式冷凍サイクルを行う冷媒回路（1E）を備えている。また、この冷媒回路（1E）は、ブースタユニット（1F）を備えている。室内ユニット（1B）と冷蔵ユニット（1C）と冷凍ユニット（1D）とは、並列に接続されている。そして、上記冷媒回路（1E）は、冷房サイクルと暖房サイクルとに切り換わるように構成されている。
【００１７】
上記室内ユニット（1B）は、冷房運転と暖房運転とを切り換えて行うように構成され、例えば、売場などに設置される。また、上記冷蔵ユニット（1C）は、冷蔵用のショーケースに設置されて該ショーケースの庫内空気を冷却する。上記冷凍ユニット（1D）は、冷凍用のショーケースに設置されて該ショーケースの庫内空気を冷却する。
【００１８】
〈室外ユニット〉
上記室外ユニット（1A）は、インバータ圧縮機（2）と、四路切換弁（3A）と、吐出側三方切換弁（101）と、流量調整手段としての吸入側三方切換弁（102）と、熱源側熱交換器である室外熱交換器（4）と、エコノマイザー用熱交換器（103）とを備えている。
【００１９】
上記インバータ圧縮機（2）は、例えば、密閉型のスクリュー圧縮機で構成され、電動機がインバータ制御されて容量が段階的又は連続的に可変となるように構成されている。上記インバータ圧縮機（2）の吐出管（5）は、吐出側三方切換弁（101）の第１ポートに接続されている。インバータ圧縮機（2）の運転容量制御は、常時、室内ユニット（1B）側の冷媒圧力が一定になるように制御される。後述する室内熱交換器（41）及び室外熱交換器（4）が凝縮器となる熱回収運転時には、室内熱交換器（41）内の圧力を一定にするように、制御される。なお、インバータ圧縮機（2）はスクロール圧縮機で構成してもよい。
【００２０】
上記室外熱交換器（4）のガス側端部（インバータ圧縮機（2）側端部）は、室外ガス管（9）によって、上記吐出側三方切換弁（101）の第２ポートから延びる配管及び四路切換弁（3A）の第２ポートから延びる配管の接続部に接続されている。上記室外熱交換器（4）の液側端部には、暖房用電子膨張弁（104）が設けられ、更にこの暖房用電子膨張弁（104）に液ラインである第１液管（10a）の一端と第２液管（10b）の一端とが接続されている。暖房用電子膨張弁（104）は、室外熱交換器（4）が蒸発器となる暖房時に冷媒が減圧される。その制御は、後述する吸入温度センサ（67）によって得られたインバータ圧縮機（2）の吸入加熱度に基づいて行われる。第１液管（10a）は、レシーバ（14）入口に接続されている。第２液管（10b）には、上記エコノマイザー用熱交換器（103）の第１流路（105）が接続されている。
【００２１】
なお、上記室外熱交換器（4）は、例えば、クロスフィン式のフィン・アンド・チューブ型熱交換器であって、室外ファン（4F）が近接して配置されている。
【００２２】
上記インバータ圧縮機（2）の吸入管（6）は、吸入側三方切換弁（102）の第１ポートに接続されている。吸入側三方切換弁（102）の第３ポートは、閉鎖弁（20）を介して低圧ガス管（15）に接続されている。
【００２３】
上記四路切換弁（3A）の第１ポートは、吐出側三方切換弁（101）の第３ポートから延びる配管及び後述する連通管（21）の接続部に接続されている。四路切換弁（3A）の第３ポートから延びる配管は、吸入側三方切換弁（102）の第２ポートに接続されている。四路切換弁（3A）の第４ポートから延びる配管には、閉鎖弁（20）を介して連絡ガス管（17）が接続されている。
【００２４】
上記四路切換弁（3A）は、吐出側三方切換弁（101）の第３ポートから延びる配管及び連通管（21）の接続部と連絡ガス管（17）とが連通し、且つ室外ガス管（9）及び吐出側三方切換弁（101）の第２ポートから延びる配管の接続部と吸入側三方切換弁（102）の第２ポートから延びる配管とが連通するＯＮ状態（図２実線参照）と、吐出側三方切換弁（101）の第３ポートから延びる配管及び連通管（21）の接続部と室外ガス管（9）とが連通し、且つ連絡ガス管（17）と吸入側三方切換弁（102）の第２ポートから延びる配管とが連通するＯＦＦ状態（図２破線参照）とに切り換わるように構成されている。
【００２５】
上記連絡ガス管（17）と低圧ガス管（15）と接続液管（19）とは、室外ユニット（1A）から外部に延長され、室外ユニット（1A）内に閉鎖弁（20）がそれぞれ設けられている。
【００２６】
上記エコノマイザー用熱交換器（103）は、第１流路（105）と第２流路（106）とを備えている。第１流路（105）の一端から延びる配管は上記レシーバ（14）の出口に接続され、他端は上記接続液管（19）及びレシーバ（14）の入口から延びる配管の接続部に接続されている。第２流路（106）の一端は逆止弁（7）を介してインバータ圧縮機（2）の中間圧力部（図示せず）に接続され、他端はエコノマイザー用電子膨張弁（107）を介してレシーバ（14）の入口から接続液管（19）に向かって延びる配管の接続部に接続されている。このように構成することで、レシーバ（14）の出口から出てきた液冷媒が、一度エコノマイザー用熱交換器（103）の第１流路（105）を通過した後、エコノマイザー用電子膨張弁（107）で減圧され、第２流路（106）を通過中に上記第１流路（105）内の冷媒によって、低圧状態で過冷却された後、この低圧冷媒がインバータ圧縮機（2）の中間圧力部に導かれるように構成されている。エコノマイザー用電子膨張弁（107）の制御は、過冷却度とインバータ圧縮機（2）の吐出管（5）の冷媒温度に合わせて行われる。なお、上記逆止弁（7）によってインバータ圧縮機（2）の中間圧力部からの冷媒の逆流が防がれる。この過冷却された低圧冷媒がインバータ圧縮機（2）の中間圧力部に導かれることで、インバータ圧縮機（2）の過熱が防止される。
【００２７】
レシーバ（14）の入口における第１液管（10a）側とエコノマイザー用熱交換器（103）の第１流路（105）側とには、それぞれ逆止弁（7）が設けられ、レシーバ（14）の入口に向かってのみ冷媒が流れるように構成されている。また、レシーバ（14）の入口から延びる配管とエコノマイザー用熱交換器（103）の第１流路（105）側との間には、凝縮圧力調整弁（108）が設けられている。この凝縮圧力調整弁（108）によって、暖房運転時で外気温度が低いときに、室内ユニット（1B）側の冷媒不足が防止される。
【００２８】
上記四路切換弁（3A）の第１ポートから延びる配管及び吐出側三方切換弁（101）の第３ポートから延びる配管の接続部と接続液管（19）からレシーバ（14）に向かって延びる配管との間には、補助ラインである連通管（21）が接続されている。この連通管（21）には、バネ付逆止弁（109）が設けられている。バネ付逆止弁（109）は、通常は作動せず、運転停止時にレシーバ（14）が液状の冷媒で満タンのとき、各バルブを閉じたときの液漏れを防止するように構成されている。
【００２９】
〈室内ユニット〉
上記室内ユニット（1B）は、第１熱交換器としての室内熱交換器（41）と膨張機構である室内膨張弁（42）とを備えている。上記室内熱交換器（41）のガス側は、連絡ガス管（17）が接続されている。一方、上記室内熱交換器（41）の液側は、室内膨張弁（42）を介して第２連絡液管（12）が接続され、この第２連絡液管（12）が室外ユニット（1A）に延びる接続液管（19）に接続されている。なお、上記室内熱交換器（41）は、例えば、クロスフィン式のフィン・アンド・チューブ型熱交換器であって、室内ファン（43）が近接して配置されている。
【００３０】
〈冷蔵ユニット〉
上記冷蔵ユニット（1C）は、第２熱交換器としての冷蔵熱交換器（45）と膨張機構である冷蔵膨張弁（46）とを備えている。上記冷蔵熱交換器（45）の液側は、電磁弁（7a）及び冷蔵膨張弁（46）を介して第１連絡液管（11）が接続されている。一方、上記冷蔵熱交換器（45）のガス側は、低圧ガス管（15）が接続されている。
【００３１】
上記冷蔵熱交換器（45）は、低圧ガス管（15）を介して吸入側三方切換弁（102）の第３ポートに連通する一方、上記室内熱交換器（41）は、冷房運転時に連絡ガス管（17）を介して吸入側三方切換弁（102）の第２ポートに連通する。上記吸入側三方切換弁（102）の流量調整により、冷蔵熱交換器（45）の冷媒圧力（蒸発圧力）は室内熱交換器（41）の冷媒圧力（蒸発圧力）より低くなる。この結果、上記冷蔵熱交換器（45）の冷媒蒸発温度は、例えば、−１０℃となり、室内熱交換器（41）の冷媒蒸発温度は、例えば、＋５℃となって冷媒回路（1E）が異温度蒸発の回路を構成している。
【００３２】
なお、上記冷蔵膨張弁（46）は、感温式膨張弁であって、感温筒が冷蔵熱交換器（45）のガス側に取り付けられている。上記冷蔵熱交換器（45）は、例えば、クロスフィン式のフィン・アンド・チューブ型熱交換器であって、冷蔵ファン（47）が近接して配置されている。
【００３３】
〈冷凍ユニット〉
上記冷凍ユニット（1D）は、第２熱交換器としての冷凍熱交換器（51）と膨張機構である冷凍膨張弁（52）とを備えている。上記冷凍熱交換器（51）の液側は、第１連絡液管（11）より分岐した分岐液管（13）が電磁弁（7b）及び冷凍膨張弁（52）を介して接続されている。
【００３４】
なお、上記冷凍膨張弁（52）は、感温式膨張弁であって、感温筒が冷凍熱交換器（51）のガス側に取り付けられている。上記冷凍熱交換器（51）は、例えば、クロスフィン式のフィン・アンド・チューブ型熱交換器であって、冷凍ファン（58）が近接して配置されている。
【００３５】
〈ブースタユニット〉
ブースタユニット（1F）は、ブースタ圧縮機（53）と過冷却用熱交換器（210）とを備えている。
【００３６】
上記ブースタ圧縮機（53）は、冷凍熱交換器（51）の冷媒蒸発温度が冷蔵熱交換器（45）の冷媒蒸発温度より低くなるようにインバータ圧縮機（2）との間で冷媒を２段圧縮している。上記冷凍熱交換器（51）の冷媒蒸発温度は、例えば、−４０℃に設定されている。
【００３７】
上記冷凍熱交換器（51）のガス側とブースタ圧縮機（53）の吸込側とは、接続ガス管（54）によって接続されている。該ブースタ圧縮機（53）の吐出側には、低圧ガス管（15）より分岐した分岐ガス管（16）が接続されている。該分岐ガス管（16）には、逆止弁（7）とオイルセパレータ（55）とが設けられている。該オイルセパレータ（55）と接続ガス管（54）との間には、キャピラリチューブを有する油戻し管（57）が接続されている。
【００３８】
また、上記ブースタ圧縮機（53）の吸込側である接続ガス管（54）とブースタ圧縮機（53）の吐出側である分岐ガス管（16）の逆止弁（7）の下流側との間には、逆止弁（7）を有するバイパス管（59）が接続されている。該バイパス管（59）は、ブースタ圧縮機（53）の故障などの停止時に該ブースタ圧縮機（53）をバイパスして冷媒が流れるように構成されている。
【００３９】
上記過冷却用熱交換器（210）は、いわゆるプレート式熱交換器によって構成されている。過冷却用熱交換器（210）には、第１流路（211）と第２流路（212）とが複数ずつ形成されている。上記第１連絡液管（11）から第３連絡液管（18）が分岐している。上記過冷却用熱交換器（210）の第１流路（211）は、上記第１連絡液管（11）の一部を構成している。第２流路（212）は、上記第３連絡液管（18）の一部を構成している。
【００４０】
上記第３連絡液管（18）における第１連絡液管（11）との分岐点から第２流路（212）までの間には、過冷却用膨張弁（223）が設けられている。この過冷却用膨張弁（223）は、感温式膨張弁によって構成されており、感温筒が第２流路（212）の反対側に取り付けられている。
【００４１】
そして、上記過冷却用熱交換器（210）は、過冷却用膨張弁（223）が開いたときに、第１流路（211）を流れる冷媒と、第２流路（212）を流れる冷凍装置（10）の冷媒とを熱交換させる。この第１流路（211）を流れて過冷却された冷媒が第１連絡液管（11）を通って冷蔵熱交換器（45）と冷凍熱交換器（51）とに流れるように構成されている。
【００４２】
〈制御系統〉
上記冷媒回路（1E）には、各種センサ及び各種スイッチが設けられている。上記室外ユニット（1A）の吐出側三方切換弁（101）の第３ポートの近傍には、高圧冷媒圧力を検出する高圧圧力センサ（61）が設けられている。インバータ圧縮機（2）には、高圧冷媒温度を検出する吐出温度センサ（62）が設けられている。
【００４３】
上記インバータ圧縮機（2）の吸入管（6）の近傍には、低圧冷媒圧力を検出する低圧圧力センサ（65,66）と、低圧冷媒温度を検出する吸入温度センサ（67）とが設けられている。
【００４４】
また、上記室外ユニット（1A）には、室外空気温度を検出する外気温センサ（70）が設けられている。
【００４５】
上記室内熱交換器（41）には、室内熱交換器（41）における冷媒温度である凝縮温度又は蒸発温度を検出する室内熱交換センサ（71）が設けられると共に、ガス側にガス冷媒温度を検出するガス温センサ（72）が設けられている。また、上記室内ユニット（1B）には、室内空気温度を検出する室温センサ（73）が設けられている。
【００４６】
上記冷蔵ユニット（1C）には、冷蔵用のショーケース内の庫内温度を検出する冷蔵温度センサ（74）が設けられている。上記冷凍ユニット（1D）には、冷凍用のショーケース内の庫内温度を検出する冷凍温度センサ（75）が設けられている。
【００４７】
上記各種センサ及び各種スイッチの出力信号は、コントローラ（80）（図１にのみ示す）に入力されている。該コントローラ（80）は、インバータ圧縮機（2）の容量などを制御するように構成されている。
【００４８】
また、上記コントローラ（80）は、冷媒回路（1E）の運転を制御し、冷房運転と冷凍運転と冷房冷凍運転と暖房運転と第１乃至第３暖房冷凍運転とを切り換えて制御するように構成されている。
【００４９】
上記コントローラ（80）の制御により、上記吐出側三方切換弁（101）は、室外熱交換器（4）が蒸発器となるときには、第２ポートが完全に閉じられ、第３ポート側に冷媒が全て流れる。一方、暖房運転中の室内熱交換器（41）が凝縮器となるときで且つサーモオフのときには、第３ポート側が完全に閉じられ、第２ポート側に冷媒が全て流れる。また、室内熱交換器（41）及び室外熱交換器（4）が凝縮器となる熱回収運転時には、インバータ圧縮機（2）の吐出圧力が一定以上になったことを高圧圧力センサ（61）によって検出したときに、吐出圧を一定以下とするように、第２ポートが開くように制御される。
【００５０】
上記コントローラ（80）の制御により、吸入側三方切換弁（102）は、室内ユニット（1B）のみの運転時には、その第３ポートは常に閉じられる。
【００５１】
−運転動作−
次に、上記冷凍装置（1）が行う主な運転動作について説明する。
〈冷房モード〉
冷房モードは、冷房運転と冷凍運転と冷房冷凍運転とのいずれかに切り換わる。
【００５２】
〈冷房運転〉
図２に示すように、この冷房運転は、室内ユニット（1B）の冷房のみを行う運転である。
【００５３】
また、四路切換弁（3A）は、図２の実線で示すように、それぞれＯＦＦ状態に切り換わる。更に、冷蔵ユニット（1C）の電磁弁（7a）及び冷凍ユニット（1D）の電磁弁（7b）が閉鎖している。
【００５４】
この状態において、インバータ圧縮機（2）から吐出した冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第２連絡液管（12）を流れ、室内膨張弁（42）を経て室内熱交換器（41）に流れて蒸発する。蒸発したガス冷媒は、連絡ガス管（17）から四路切換弁（3A）を経て吸入側三方切換弁（102）の第２ポートを通ってインバータ圧縮機（2）に戻る。この循環を繰り返し、室内である店内を冷房する。
【００５５】
また、上記室内膨張弁（42）の開度は、室内熱交換センサ（71）とガス温センサ（72）の検出温度に基づいて過熱度制御され、以下、冷房モードでは同じである。
【００５６】
〈冷凍運転〉
この冷凍運転は、冷蔵ユニット（1C）と冷凍ユニット（1D）の冷却のみを行う運転である。
【００５７】
また、四路切換弁（3A）は、図３の実線で示すように、ＯＦＦ状態に切り換わる。更に、冷蔵ユニット（1C）の電磁弁（7a）及び冷凍ユニット（1D）の電磁弁（7b）が開口される一方、室内膨張弁（42）が閉鎖している。
【００５８】
この状態において、インバータ圧縮機（2）から吐出した冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）を流れ、一部が冷蔵膨張弁（46）を経て冷蔵熱交換器（45）に流れて蒸発する。
【００５９】
一方、第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００６０】
上記冷蔵熱交換器（45）で蒸発したガス冷媒とブースタ圧縮機（53）から吐出したガス冷媒とは、低圧ガス管（15）で合流し、吸入側三方切換弁（102）の第３ポートを通ってインバータ圧縮機（2）に戻る。この循環を繰り返し、冷蔵用のショーケースと冷凍用のショーケースである庫内を冷却する。
【００６１】
したがって、上記冷凍熱交換器（51）における冷媒圧力は、ブースタ圧縮機（53）で吸引されるので、冷蔵熱交換器（45）における冷媒圧力より低圧となる。この結果、例えば、上記冷凍熱交換器（51）における冷媒温度（蒸発温度）が−４０℃となり、上記冷蔵熱交換器（45）における冷媒温度（蒸発温度）が−１０℃となる。
【００６２】
また、上記冷蔵膨張弁（46）及び冷凍膨張弁（52）の開度は、感温筒による過熱度制御が行われ、以下、各運転で同じである。
【００６３】
〈冷房冷凍運転〉
図４に示すように、この冷房冷凍運転は、室内ユニット（1B）の冷房と冷蔵ユニット（1C）及び冷凍ユニット（1D）の冷却とを同時に行う運転である。
【００６４】
また、四路切換弁（3A）は、図４の実線で示すように、それぞれＯＦＦ状態に切り換わる。更に、室内膨張弁（42）、冷蔵ユニット（1C）の電磁弁（7a）及び冷凍ユニット（1D）の電磁弁（7b）が開口されている。
【００６５】
この状態において、インバータ圧縮機（2）から吐出した冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）と第２連絡液管（12）とに分かれて流れる。
【００６６】
上記第２連絡液管（12）を流れる液冷媒は、室内膨張弁（42）を経て室内熱交換器（41）に流れて蒸発する。蒸発したガス冷媒は、連絡ガス管（17）から四路切換弁（3A）を経て吸入側三方切換弁（102）の第２ポートを通るときに減圧されてインバータ圧縮機（2）に戻る。
【００６７】
一方、上記第１連絡液管（11）を流れる液冷媒の一部が冷蔵膨張弁（46）を経て冷蔵熱交換器（45）に流れて蒸発する。また、上記第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００６８】
上記冷蔵熱交換器（45）で蒸発したガス冷媒とブースタ圧縮機（53）から吐出したガス冷媒とは、低圧ガス管（15）で合流し、吸入側三方切換弁（102）の第３ポートを通ってインバータ圧縮機（2）に戻る。
【００６９】
この循環を繰り返し、室内である店内を冷房すると同時に、冷蔵用のショーケースと冷凍用のショーケースである庫内を冷却する。
【００７０】
そこで、上記冷房冷凍運転時における冷媒挙動を図５を用いて説明する。なお、この場合、簡略化のために、エコノマイザー用熱交換器（103）や過冷却用熱交換器（210）での過冷却の作用については省略する。
【００７１】
まず、上記インバータ圧縮機（2）によって冷媒がＡ点まで圧縮される。Ａ点の冷媒は、凝縮してＢ点の冷媒となる。このＢ点の冷媒の一部は、室内膨張弁（42）でＣ点まで減圧し、例えば、＋５℃で蒸発し、Ｄ点で吸入側三方切換弁（102）の第２ポートを通るときにＥ点まで減圧され、インバータ圧縮機（2）に吸引される。
【００７２】
また、上記Ｂ点の冷媒の一部は、冷蔵膨張弁（46）でＦ点まで減圧し、例えば、−１０℃で蒸発し、Ｅ点でインバータ圧縮機（2）に吸引される。
【００７３】
また、上記Ｂ点の冷媒の一部は、ブースタ圧縮機（53）で吸引されるので、冷凍膨張弁（52）でＧ点まで減圧し、例えば、−４０℃で蒸発し、Ｈ点でブースタ圧縮機（53）に吸引される。このブースタ圧縮機（53）でＩ点まで圧縮された冷媒は、Ｅ点でインバータ圧縮機（2）に吸引される。
【００７４】
このように、冷媒回路（1E）の冷媒は、吸入側三方切換弁（102）によって異温度蒸発し、更に、ブースタ圧縮機（53）による２段圧縮によって３種類の蒸発温度となる。
〈暖房モード〉
暖房モードは、上記コントローラ（80）の制御により、暖房運転と第１暖房冷凍運転と第２暖房冷凍運転と第３暖房冷凍運転のいずれに切り換わる。
【００７５】
〈暖房運転〉
この暖房運転は、室内ユニット（1B）の暖房のみを行う運転である。また、四路切換弁（3A）は、図６の実線で示すように、ＯＮ状態に切り換わる。吐出側三方切換弁（101）の第２ポートは閉じている。吸入側三方切換弁（102）の第３ポートは閉じている。更に、冷蔵ユニット（1C）の電磁弁（7a）及び冷凍ユニット（1D）の電磁弁（7b）が閉鎖している。
【００７６】
この状態において、インバータ圧縮機（2）から吐出した冷媒は、吐出側三方切換弁（101）の第３ポートを通って、四路切換弁（3A）から連絡ガス管（17）を経て室内熱交換器（41）に流れて凝縮する。凝縮した液冷媒は、第２連絡液管（12）を流れ、レシーバ（14）に流れる。その後、上記液冷媒は、暖房用電子膨張弁（104）を経て室外熱交換器（4）に流れて蒸発する。蒸発したガス冷媒は、室外ガス管（9）から四路切換弁（3A）及び吸入側三方切換弁（102）を経て、インバータ圧縮機（2）に戻る。この循環を繰り返し、室内である店内を暖房する。
【００７７】
また、上記暖房用電子膨張弁（104）の開度は、低圧圧力センサ（65,66）に基づく圧力相当飽和温度と吸入温度センサ（67）の検出温度によって過熱度制御される。上記室内膨張弁（42）の開度は、室内熱交換センサ（71）の検出温度に基づいて過冷却制御される。この暖房用電子膨張弁（104）及び室内膨張弁（42）の開度制御は、以下、暖房モードで同じである。
【００７８】
〈第１暖房冷凍運転〉
この第１暖房冷凍運転は、室外熱交換器（4）を用いず、室内ユニット（1B）の暖房と冷蔵ユニット（1C）及び冷凍ユニット（1D）の冷却を行う運転である。
【００７９】
図７の実線で示すように、四路切換弁（3A）は、ＯＮ状態に切り換わる。吐出側三方切換弁（101）の第２ポートは閉じている。吸入側三方切換弁（102）の第３ポートは開いている。更に、冷蔵ユニット（1C）の電磁弁（7a）及び冷凍ユニット（1D）の電磁弁（7b）が開口する一方、暖房用電子膨張弁（104）が閉鎖している。
【００８０】
この状態において、インバータ圧縮機（2）から吐出した冷媒は、吐出側三方切換弁（101）において、全て第３ポート側に送られる。この冷媒が四路切換弁（3A）から連絡ガス管（17）を経て室内熱交換器（41）に流れて凝縮する。凝縮した液冷媒は、第２連絡液管（12）から第１連絡液管（11）を流れる。
【００８１】
上記第１連絡液管（11）を流れる液冷媒は、その一部が冷蔵膨張弁（46）を経て冷蔵熱交換器（45）に流れて蒸発する。また、上記第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００８２】
上記冷蔵熱交換器（45）で蒸発したガス冷媒とブースタ圧縮機（53）から吐出したガス冷媒とは、低圧ガス管（15）で合流し、インバータ圧縮機（2）に戻る。この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスし、１００％の熱回収が行われる。
【００８３】
〈第２暖房冷凍運転〉
図８に示すように、この第２暖房冷凍運転は、上記第１暖房冷凍運転時に室内ユニット（1B）の暖房能力が余る暖房の能力過剰運転である。
【００８４】
この第２暖房冷凍運転は、上記第１暖房冷凍運転時において、暖房能力が余る場合の熱回収運転である。
【００８５】
インバータ圧縮機（2）の吐出圧力が一定以上になったことを高圧圧力センサ（61）によって検出したときに、上記コントローラ（80）の制御により、第２ポートが開くように制御され、インバータ圧縮機（2）から吐出した冷媒は、吐出側三方切換弁（101）によって分配される。すなわち、室内熱交換器（41）で必要な凝縮熱を与えることのできる流量の冷媒のみを、その第３ポートを通して室内熱交換器（41）に流し、凝縮する。凝縮した液冷媒は、第２連絡液管（12）を通って第１連絡液管（11）に流れる。
【００８６】
一方、インバータ圧縮機（2）から吐出した残りの冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）において上記室内熱交換器（41）を通過した冷媒と合流する。
【００８７】
その後、上記第１連絡液管（11）を流れる液冷媒の一部が冷蔵熱交換器（45）に流れて蒸発する。また、上記第１連絡液管（11）を流れる他の液冷媒は、冷凍熱交換器（51）に流れて蒸発する。上記冷蔵熱交換器（45）で蒸発したガス冷媒と、冷凍熱交換器（51）で蒸発した後ブースタ圧縮機（53）から吐出されたガス冷媒とは、低圧ガス管（15）で合流し、吸入側三方切換弁（102）の第３ポートを通ってインバータ圧縮機（2）に戻る。この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスせず、余る凝縮熱のみを室外熱交換器（4）で室外に放出する。
【００８８】
〈第３暖房冷凍運転〉
この第３暖房冷凍運転は、上記第１暖房冷凍運転時に室内ユニット（1B）の暖房能力が不足する暖房の能力不足運転である。つまり、蒸発熱量が不足している場合である。
【００８９】
図９の実線で示すように、四路切換弁（3A）は、ＯＮ状態に切り換わる。吐出側三方切換弁（101）の第２ポートは閉じている。吸入側三方切換弁（102）は第２ポート及び第３ポートが開いている。更に、室内膨張弁（42）、冷蔵ユニット（1C）の電磁弁（7a）及び冷凍ユニット（1D）の電磁弁（7b）が開口している。
【００９０】
したがって、インバータ圧縮機（2）から吐出した冷媒は、上記第１暖房冷凍運転と同様に全て室内熱交換器（41）に流れて凝縮する。凝縮した液冷媒は、第２連絡液管（12）を通って第１連絡液管（11）とレシーバ（14）とに流れる。
【００９１】
その後、上記第１連絡液管（11）を流れる液冷媒の一部が冷蔵熱交換器（45）に流れて蒸発する。また、上記第１連絡液管（11）を流れる他の液冷媒は、冷凍熱交換器（51）に流れて蒸発する。上記冷蔵熱交換器（45）で蒸発したガス冷媒と冷凍熱交換器（51）で蒸発した後ブースタ圧縮機（53）から吐出したガス冷媒とは、低圧ガス管（15）で合流し、吸入側三方切換弁（102）の第３ポートを通るときに減圧されてインバータ圧縮機（2）に戻る。
【００９２】
一方、上記レシーバ（14）側に流れ込んだ他の液冷媒は、第２液管（10b）を経て暖房用電子膨張弁（104）を通って室外熱交換器（4）に流れ、蒸発する。蒸発したガス冷媒は、室外ガス管（9）を流れ、四路切換弁（3A）及び吸入側三方切換弁（102）を経てインバータ圧縮機（2）に戻る。
【００９３】
この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスせず、不足する蒸発熱を室外熱交換器（4）から得る。
【００９４】
そこで、上記第３暖房冷凍運転時における冷媒挙動を図１０を用いて説明する。なお、この場合、簡略化のために、エコノマイザー用熱交換器（103）や過冷却用熱交換器（210）での過冷却の作用については省略する。
【００９５】
まず、上記インバータ圧縮機（2）によって冷媒がＡ点まで圧縮される。Ａ点の冷媒は、凝縮してＢ点の冷媒となる。このＢ点の冷媒は、暖房用電子膨張弁（104）でＣ点まで減圧し、例えば、−１５℃で蒸発し、Ｄ点でインバータ圧縮機（2）に吸引される。
【００９６】
また、上記Ｂ点の冷媒の一部は、冷蔵膨張弁（46）でＥ点まで減圧し、例えば、−１０℃で蒸発し、Ｆ点で吸入側三方切換弁（102）の第３ポートを通るときにＤ点まで減圧されてインバータ圧縮機（2）に吸引される。
【００９７】
また、上記Ｂ点の冷媒の一部は、ブースタ圧縮機（53）で吸引されるので、冷凍膨張弁（52）でＧ点まで減圧し、例えば、−４０℃で蒸発し、Ｈ点でブースタ圧縮機（53）に吸引される。このブースタ圧縮機（53）でＩ点まで圧縮された冷媒は、Ｆ点で吸入側三方切換弁（102）の第３ポートを通るときにＤ点まで減圧されてインバータ圧縮機（2）に吸引される。
【００９８】
このように、冷媒回路（1E）の冷媒は、吸入側三方切換弁（102）によって異温度蒸発し、更に、ブースタ圧縮機（53）による２段圧縮によって３種類の蒸発温度となる。
【００９９】
〈能力調整方法〉
次に、上記各運転における空調能力（冷房能力又は暖房能力）及び冷蔵冷凍能力の調整方法について説明する。
【０１００】
コントローラ（80）は、インバータ圧縮機（2）又は吸入側三方切換弁（102）を制御することによって各熱交換器（41,45,51）の冷媒流量を調整し、空調能力や冷却能力を調整する。具体的に、コントローラ（80）は、冷媒の低圧圧力（蒸発圧力）とその目標圧力との圧力差（以下、単に冷媒の圧力差という。）に基づいてインバータ圧縮機（2）又は吸入側三方切換弁（102）を制御する。なお、空調側の冷媒の圧力差は低圧圧力センサ（65）の検出圧力とその目標圧力との差であり、冷却側の冷媒の圧力差は低圧圧力センサ（66）の検出圧力とその目標圧力との差である。
【０１０１】
例えば、上記冷房冷凍運転において、負荷が増大して空調側及び冷却側の両方の冷媒の圧力差が大きくなると、コントローラ（80）は、インバータ圧縮機（2）の運転容量を増大させる。つまり、吸入側三方切換弁（102）において、第２ポート及び第３ポートの流量分配比は変化しないが、各ポートを流れる冷媒流量が多くなる。これにより、室内熱交換器（41）、冷蔵熱交換器（45）及び冷凍熱交換器（51）の冷媒流量が増大し、冷房能力及び冷蔵冷凍能力が増大する。なお、負荷が増大すると、冷媒の低圧圧力は目標圧力より高くなる。また、空調側及び冷却側の一方の負荷が増大した場合、コントローラ（80）はインバータ圧縮機（2）の運転容量を増大させ、吸入側三方切換弁（102）の流量分配比を変える。つまり、吸入側三方切換弁（102）の全体流量を増大させ、且つ、その増大分が負荷増大側のポートを流れるように吸入側三方切換弁（102）の流量分配比が変えられる。
【０１０２】
ところが、インバータ圧縮機（2）を最大容量で運転していた場合、コントローラ（80）は、吸入側三方切換弁（102）を制御して冷媒の圧力差が大きい方を優先して冷媒流量を増大させる。例えば、空調側が冷却側より冷媒の圧力差が大きい場合、吸入側三方切換弁（102）において第２ポートの冷媒流量が増大し、その分第３ポートの冷媒流量が減少するように各ポート間の流量分配比を変える。つまり、吸入側三方切換弁（102）を流れる冷媒の総流量は変化しない。これにより、室内熱交換器（41）の冷媒流量が増大して冷房能力が増大する一方、冷蔵熱交換器（45）及び冷凍熱交換器（51）の冷媒流量が減少して冷蔵冷凍能力が低下するので、双方の能力をほぼ均衡させることができ、大幅な能力不足を抑制することができる。
【０１０３】
なお、コントローラ（80）は、第３暖房冷凍運転においても同様の制御を行う。また、冷房運転、冷凍運転、暖房運転、第１暖房冷凍運転及び第２暖房冷凍運転において、負荷が増大すると、コントローラ（80）がインバータ圧縮機（2）の運転容量を増大させる。
【０１０４】
−実施形態の効果−
以上説明したように、上記実施形態の冷凍装置（1）によれば、吸入側三方切換弁（102）によって、第１熱交換器（41）の蒸発温度を冷蔵熱交換器（45）及び冷凍熱交換器（51）の蒸発温度よりも高く保ちながら流路を切り換えるようにしている。このため、複数の圧縮機によって蒸発圧力の差を与えたり、別途圧力調整弁を設けなくても、冷凍装置は効率よく各運転切換を行うことができる。
【０１０５】
−実施形態の各変形例−
この各変形例は、コントローラ（80）が冷媒の低圧圧力以外のパラメータに基づいてインバータ圧縮機（2）及び吸入側三方切換弁（102）を制御するようにしたものである。
【０１０６】
先ず、変形例１は、コントローラ（80）が各熱交換器（41,45,51）における吸い込み空気温度とその目標温度との温度差（以下、単に空気の温度差という。）に基づいてインバータ圧縮機（2）等を制御する。つまり、空調側の空気の温度差は、室内ファン（43）によって取り込まれた空気温度とその目標温度との差である。冷却側の空気の温度差は、冷蔵ファン（47）によって取り込まれた空気温度とその目標温度との差および冷凍ファン（58）によって取り込まれた空気温度とその目標温度との差の大きい方である。
【０１０７】
この場合、例えば、冷房冷凍運転において、負荷が増大して空調側および冷却側の空気の温度差が増大すると、すなわち空気温度が目標温度より高くなると、インバータ圧縮機（2）の運転容量を増大させる。ここで、インバータ圧縮機（2）を最大容量で運転していた場合、吸入側三方切換弁（102）を制御して空気の温度差が大きい方を優先して冷媒流量を増大させる。
【０１０８】
変形例２は、コントローラ（80）が冷媒の蒸発温度とその目標温度との温度差（以下、単に冷媒の温度差という。）に基づいてインバータ圧縮機（2）等を制御する。つまり、空調側の冷媒の温度差は、冷房時では室内熱交換器（41）における冷媒温度又は暖房時では室外熱交換器（4）における冷媒温度とその目標温度との差である。冷却側の冷媒の温度差は、冷蔵熱交換器（45）における冷媒温度とその目標温度との差および冷凍熱交換器（51）における冷媒温度とその目標温度との差の大きい方である。
【０１０９】
この場合、例えば、冷房冷凍運転において、負荷が増大して空調側および冷却側の冷媒の温度差が増大すると、すなわち冷媒の蒸発温度が目標温度より高くなると、インバータ圧縮機（2）の運転容量を増大させる。ここで、インバータ圧縮機（2）を最大容量で運転していた場合、吸入側三方切換弁（102）を制御して冷媒の温度差が大きい方を優先して冷媒流量を増大させる。
【０１１０】
変形例３は、室内熱交換器（41）、冷蔵熱交換器（45）および冷凍熱交換器（51）がそれぞれ複数並列に設けられている場合である。そして、コントローラ（80）は、各熱交換器（41,45,51）の運転台数又は運転台数の割合に基づいてインバータ圧縮機（2）等を制御する。基本的に、コントローラ（80）は、各熱交換器（41,45,51）が同数台ずつ設けられている場合、運転台数に基づき、各熱交換器（41,45,51）の台数が異なる場合、運転台数の割合に基づく。
【０１１１】
この場合、例えば、冷房冷凍運転において、負荷が増大して各熱交換器（41,45,51）の運転台数又は運転台数の割合が増大すると、インバータ圧縮機（2）の運転容量を増大させる。ここで、インバータ圧縮機（2）を最大容量で運転していた場合、吸入側三方切換弁（102）を制御して運転台数の多い方、又は運転台数の割合の多い方を優先して冷媒流量を増大させる。
【０１１２】
変形例４は、冷媒の高圧圧力、冷媒の凝縮温度又は外気温度が上昇した場合、コントローラ（80）が上述した冷媒の低圧圧力に基づいて吸入側三方切換弁（102）を制御する。ここで、冷媒の高圧圧力は高圧圧力センサ（61）の検出圧力である。冷媒の凝縮温度は、冷房時では室外熱交換器（4）における冷媒温度又は暖房時では室内熱交換器（41）における冷媒温度である。外気温度は外気温センサ（70）の検出温度である。
【０１１３】
具体的に、冷媒の高圧圧力、冷媒の凝縮温度又は外気温度が上昇して負荷が増大したと判断した場合、コントローラ（80）はインバータ圧縮機（2）の運転容量を増大させる。このとき、インバータ圧縮機（2）を最大容量で運転していた場合、吸入側三方切換弁（102）を制御して空調側および冷却側のうち冷媒の低圧圧力が低い方を優先して冷媒流量を増大させる。なお、コントローラ（80）は、上記冷媒の低圧圧力に代えて、その目標圧力か、冷媒の蒸発温度か、取り込まれる空気温度の目標温度が低い方の冷媒流量を増大するように吸入側三方切換弁（102）を制御するようにしてもよい。
【０１１４】
（その他の実施形態）
上記実施形態では、流量調整手段として吐出側三方切換弁（101）を設けているが、流量調整可能な四方切換弁であってももよく、いずれの場合にも、上記実施形態と同様の作用効果が得られる。
【産業上の利用可能性】
【０１１５】
以上説明したように、本発明は、コンビニエンスストアやスーパーマーケットなどに用いられる空調熱交換器と冷却熱交換器とを備えた冷凍装置について有用である。
【図面の簡単な説明】
【０１１６】
【図１】実施形態に係る冷凍装置の冷媒回路を示す回路図である。
【図２】冷房運転時の冷媒流れを示す冷媒回路図である。
【図３】冷凍運転時の冷媒流れを示す冷媒回路図である。
【図４】冷房冷凍運転時の冷媒流れを示す冷媒回路図である。
【図５】冷房冷凍運転時における冷媒挙動を示すモリエル線図である。
【図６】暖房運転時の冷媒流れを示す冷媒回路図である。
【図７】第１暖房冷凍運転時の冷媒流れを示す冷媒回路図である。
【図８】第２暖房冷凍運転時の冷媒流れを示す冷媒回路図である。
【図９】第３暖房冷凍運転時の冷媒流れを示す冷媒回路図である。
【図１０】第３暖房冷凍運転時における冷媒挙動を示すモリエル線図である。
【符号の説明】
【０１１７】
１Ｅ    冷媒回路
２      圧縮機
４      熱源側熱交換器
６      吸入管
４１      空調熱交換器（第１熱交換器）
４５      冷蔵熱交換器（第２熱交換器）
５１      冷凍熱交換器（第２熱交換器）
１０２      吸入側三方切換弁（流量調整手段）